(57)【要約】【課題】  家庭用プリンタでは、複数のカートリッジを収納することが不可能な場合が多く、用紙サイズに対応したカートリッジへの交換が必要となる。本発明では、使用者が行うカートリッジの交換作業回数を減らす事を可能とする。【解決手段】  プリントジョブに設定された用紙サイズ及びプリントタイプといった情報をもとに、同一カートリッジでプリント出力可能な画像データを並び替えまとめることで、使用者が行うカートリッジの交換作業回数を減らす。併せて、プリント出力を行うカートリッジの順番に関して、任意に指定、枚数の多いカートリッジの順、枚数の少ないカートリッジの順、プリント出力に要する時間の短い順、プリント出力に要する時間の長い順といった選択肢を提供する。【選択図】  図７
2007293516.tif 000002
【特許請求の範囲】
【請求項１】
撮像手段と、
前記撮像手段により取得された画像データを記憶している記憶媒体から画像データを読み出す読み出し手段と、
前記読み出し手段から読み出された画像データに対して、プリント条件を設定する設定手段とを有し、
前記設定手段は、前記プリント条件ごとのプリント順を設定可能とすることを特徴とするデジタルカメラ。
【請求項２】
前記設定手段は、プリント出力対象となる画像データを複数選択する際に、画像データ毎に異なるプリント条件の設定が可能であることを特徴とする請求項１に記載のデジタルカメラ。
【請求項３】
前記設定手段は、プリント出力対象の画像データ毎に異種の用紙サイズが設定されていた場合に、プリント出力させる順番を設定可能とすることを特徴とする請求項１ないし請求項２のいずれか１項に記載のデジタルカメラ。
【請求項４】
前記設定手段は、前記プリント条件において、同一のカートリッジでプリント出力を行うことが可能である複数の画像データについて、同一のカートリッジ毎に画像データを纏めて連続してプリント出力が行えるようにプリントジョブを作成することを特徴とする請求項１ないし請求項３のいずれか１項に記載のデジタルカメラ。
【請求項５】
撮像手段を有するデジタルカメラの制御方法であって、
前記撮像手段により取得された画像データを記憶している記憶媒体から画像データを読み出す読み出し工程と、
前記読み出し工程で読み出された画像データに対して、プリント条件を設定する設定工程とを有し、
前記設定工程は、前記プリント条件ごとのプリント順を設定可能とすることを特徴とするデジタルカメラの制御方法。
【請求項６】
画像データを記憶している記憶媒体から画像データを読み出す読み出し手段と、
前記読み出し手段から読み出された画像データに対して、プリント条件を設定する設定手段と、
外部のプリンタに前記読み出し手段で読み出した画像データ及び前記設定手段で設定したプリント条件の情報を送信する送信手段とを有し、
前記設定手段は、前記プリント条件ごとのプリント順を設定可能とすることを特徴とする画像処理装置。
【請求項７】
画像データを記憶している記憶媒体から画像データを読み出す読み出し工程と、
前記読み出し工程で読み出された画像データに対して、プリント条件を設定する設定工程と、
外部のプリンタに前記読み出し工程で読み出した画像データ及び前記設定工程で設定したプリント条件の情報を送信する送信工程とを有し、
前記設定工程は、前記プリント条件ごとのプリント順を設定可能とすることを特徴とする画像処理装置の制御方法。
【発明の詳細な説明】
【技術分野】
【０００１】
本発明は熱転写方式プリンタやインクジェット方式プリンタをプリント出力手段にもつプリントシステムに関して、特に、プリント出力のプリントタイプ、用紙サイズといった設定に対応して数種類のカートリッジの取り付けが可能なプリントシステムに好適なデジタルカメラ及び画像処理装置に関するものである。
【背景技術】
【０００２】
近年、デジタルカメラやデジタルビデオカメラ、携帯電話といった画像入力手段を有する機器の普及に伴い、撮像された画像データのプリント出力を目的としたプリンタ装置が数多く製品化されている。
【０００３】
一般的なプリンタ装置のプリント方式として、インクジェット方式、レーザー方式、熱転写方式などがある。前記カメラで撮像した写真などの画像データをプリント出力する目的で使用される代表的なプリンタ方式は、インクジェット方式、熱転写方式である。
【０００４】
インクジェット方式プリンタは、インクを衝撃や加熱などにより極小の液滴として飛ばす方式で、小さな液滴を用紙へ着弾させて誤差拡散等の手法により解像度と階調性を得る。熱転写方式プリンタは、感熱型の用紙を印画用紙として使用し、主走査方向に配列された複数個のサーマルヘッドを選択的に駆動し用紙を副走査方向に搬送することで該用紙上にドットライン状の印画を行う。
【０００５】
昇華型熱転写方式プリンタは、固体から気体に昇華したインクリボンを用紙に付着させる方式である。ヘッドに加える熱量を制御することで、１画素の濃度を変化させて階調性豊かな画像を表現する事ができ、写真のプリント出力に適している。昨今、サーマルヘッドの性能や用紙材料の品質の向上により、銀塩写真に近い画質を得る事が可能となってきている。
【０００６】
このような写真のプリント出力に適したプリンタ装置の市場拡大に従い、パソコンなどを介さずに、デジタルカメラやデジタルビデオカメラなどの撮像機器とプリンタ装置を直接接続するプリントシステムが登場している。
【０００７】
上述したプリントシステムを実現するための規格として2002年12月にCIPA規格DC-001（“PictBridge”）が発表されている。なお、“PictBridge”は登録商標である。画像入力機器と画像出力機器をダイレクトに接続して、デジタル画像の出力が容易に行えるように各種サービスを提供する事を目的としている。本規格に準拠したデジタルカメラやプリンタ装置であれば、異なるメーカーの機器であっても、直接接続することにより、カメラダイレクトプリントシステムの構築が可能である。
【０００８】
以下、カメラダイレクトプリントシステムの概要について説明する。デジタルカメラで撮像された画像データは、カメラ内のメモリカードといった記録媒体に保存される。この画像データをプリンタ装置でプリント出力するために、使用者はカメラとプリンタを専用のケーブルで接続する。次に、カメラ内の記録媒体に保存されている画像データがカメラのディスプレイに表示され、使用者はプリント出力を行う画像を選択する。この時、画像データを選択するためにカメラの有する操作部材を使用する。プリント出力対象となる画像データを選択し、カメラの操作部材に割り付けられたプリント指示キーを押下することにより、選択された画像データがプリンタ装置に転送される。プリンタ装置では、受け取った画像データに対してプリント出力可能な形式となるようにデータ処理を施した後、用紙上にプリント出力を行う。
【０００９】
また、デジタルカメラの記録フォーマットとして、キヤノン(株)、イーストマン・コダック社、富士写真フイルム(株)、松下電器産業(株)の4社が共同で提案したDPOF(Digital Print Order Format)という規格がある。本規格には、撮像した画像を、ラボプリントサービスや家庭用のプリンタ装置でプリント出力する際の情報を記録するDPOFファイルに関する規格も含まれる。なお、DPOFは登録商標である。
【００１０】
DPOFファイルのヘッダー部にはDPOFバージョン、カメラ機種名、ユーザ名、住所などの情報が記録される。ジョブ記述部の自動プリントファイルには、プリントプロダクトID、プリントタイプ、プリント枚数、サイズ、画像のトリミング指定などの設定情報が保存される。DPOFファイルはメモリカードといった記録媒体に保存され、プリンタ装置に読み込ませることにより、使用者がデジタルカメラやプリンタ装置で行った設定に従い、画像データのプリント出力が可能である。
【００１１】
先に述べたデジタルカメラによるプリント出力対象となる画像データを設定する方法の他に、LCD画面などが搭載されているプリンタ装置では、画像データ入力手段として記録媒体を直接プリンタ装置内蔵の機器に挿入して画像データを読み取ることが可能な機器がある。プリンタ装置側の操作部材を操作し、画面を見ながらプリント出力対象となる画像データを選択することで、画像をプリントすることが可能である。
【００１２】
また、多くのプリンタ装置で、数種類の用紙サイズにプリント出力が可能である。写真のプリント出力を主目的とした昇華型熱転写方式プリンタ装置ではポストカードサイズ、L判サイズ、カードサイズなどのプリント出力に対応している。こうしたプリンタ装置の多くは各種用紙サイズ及びプリントタイプに合わせて、インクリボンカートリッジ及び用紙カートリッジを交換し、プリント出力を行う。
【００１３】
また、特許文献１では、レーザープリンタなどの画像出力装置の各給紙カセットに収納されている記録用紙の種類の中から所望のものを複数選択することで、画像出力装置では、順次画像出力処理が行われる。これにより同一の画像データを複数の種類の記録用紙を用いて出力する場合の作業負荷を軽減させるという技術である。
【非特許文献１】「White Paper of CIPA DC-001-2003 Digital Photo Solutions for Imaging Devices (日本語版/2003年2月3日発行)」
【特許文献１】特開２００５-１１１９１１号公報
【発明の開示】
【発明が解決しようとする課題】
【００１４】
プリント出力対象となる画像データを選択する際に、DPOFファイルなどに設定情報を記録することで、複数の画像データの指定が行える。同時に個々の画像データに異なった用紙サイズ及びプリントタイプの設定が可能である。
【００１５】
しかし、［背景技術］の項目で述べたように家庭用プリンタ装置などでは、複数のカートリッジを収納することが不可能な装置が多く、用紙サイズに対応したカートリッジへの交換が必要となる。DPOFファイルなどで指定された順番にプリント出力を行うと、用紙サイズ及びプリントタイプの種類に合わせて使用者によりカートリッジの交換作業が必要となる。用紙サイズ及びプリントタイプが変更される度に交換を行うことは作業負荷を考慮すると現実的ではない。またプリント出力中は常時、カートリッジの交換のためにプリンタ装置の状態に気を配って置かなくてはならない。
【００１６】
本発明は上記内容を鑑み問題点を解決するために成されたものである。次に本発明で提案するプリントシステムが有する機能を記す。
【００１７】
プリント出力を行いたい画像データを複数枚選択し、プリントジョブを作成する際、画像データ毎に設定された用紙サイズ及びプリントタイプが数種類ある時、カートリッジの交換が必要になる。前記状況の場合、同一カートリッジを使用する用紙サイズ及びプリントタイプの画像データを纏めて連続プリント出力することで、使用者によるカートリッジの交換作業の回数を軽減する。
【００１８】
併せてプリント出力を行うカートリッジの順番を、使用者側で選択できる機能を有することで、プリント出力を行いたい用紙サイズ及びプリントンタイプの順番を指定する事が可能となる。
【課題を解決するための手段】
【００１９】
上記目的を達成するための一実施例として、本発明のデジタルカメラは、撮像手段と、撮像手段により取得された画像データを記憶している記憶媒体から画像データを読み出す読み出し手段と、読み出し手段から読み出された画像データに対して、プリント条件を設定する設定手段とを有し、設定手段は、前記プリント条件ごとのプリント順を設定可能とすることを特徴とする。
【００２０】
また、本発明の画像処理装置は、画像データを記憶している記憶媒体から画像データを読み出す読み出し手段と、読み出し手段から読み出された画像データに対して、プリント条件を設定する設定手段と、外部のプリンタに読み出し手段で読み出した画像データ及び設定手段で設定したプリント条件の情報を送信する送信手段とを有し、設定手段は、前記プリント条件ごとのプリント順を設定可能とすることを特徴とする。
【発明の効果】
【００２１】
プリント出力を行う用紙サイズ及びプリントタイプの順番を任意の順番、枚数の多い順、枚数の少ない順、プリント出力に要する時間の短い順などの選択肢から、使用者が指定することにより、優先順位の高い画像からプリント出力が可能となる。
【００２２】
同一のカートリッジを使用する画像データを連続してプリント出力する事で、カートリッジを交換する回数を減らすことができる。カートリッジの交換タイミングを使用者にGUI画面や音などにより告知することで、異なるプリントタイプ、用紙サイズを一度に複数プリント出力する際に要する使用者の負荷を軽減する事が可能である。
【発明を実施するための最良の形態】
【００２３】
以下、添付の図面を参照して、本発明をその好適な実施形態に基づいて詳細に説明する。
【００２４】
図1に、本実施形態におけるプリントシステムの構成を示す。本実施形態において、デジタルカメラ１で撮影した画像データ及び撮影後に記録媒体に保存した画像データ群の中からプリント出力対象となる画像データを選択し、プリントジョブファイルを作成する。続いて、プリントジョブファイルに従って画像データをプリンタ装置２へと送信する。プリンタ装置へ送信する際には、プリンタ装置側で画像処理及びプリント出力可能な形式で送信を行う。
【００２５】
使用者はLCD画面５に表示されるGUIを確認し、デジタルカメラに備えられた操作部材４を操作する事によりプリンタ装置からのプリント出力対象となる画像を１枚または複数枚選択する。画像データ選択時にトリミング、用紙サイズ、プリントタイプなどを設定し、設定完了後にデジタルカメラ内に装着されているメモリカードなどの記憶媒体にプリントジョブ情報が記録されたファイルが作成保存される。
【００２６】
使用者は前記プリンタ装置２に備えられた操作部材６を操作する事で、プリント出力対象となる画像を1枚または複数枚選択できる。画像データ選択時にトリミング、用紙サイズ、プリントタイプなどを設定し、設定完了後にプリント出力を開始する。また、プリンタ装置に装着されているメモリカードなどの記録媒体にプリントジョブ情報が記録されたファイルを作成保存し、後日プリントジョブを元にプリント出力が行える。同じくプリンタ装置２に備えられたLCD画面５によって、その操作内容を確認することができる。
【００２７】
図２は、プリンタ装置の構成の概略を示すブロック図である。プリンタ装置におけるシステム構成の中核を担う主制御部24は、CPU20、RAM21、画像データ処理部22、Flash ROM23から構成される。前記CPUでは、プリンタ装置のシステム制御や各種演算処理を実行し、プリントジョブ作成プログラムに従い、プリントジョブを作成する。前記画像データ処理部では、プリント出力に必要な画像データを生成し、RAMに保存する。前記RAMでは、画像データの一時保存用、画像のリサイズ処理などのワーク領域として使用される。前記Flash ROMは、システム制御用プログラムや各種調整値などのパラメータが格納されている。
【００２８】
操作部25ではボタンの押下など、使用者がGUIで動作確認を行いながら、各種操作を実行する。GUIの表示はLCD画面などの表示部29で行われる。LCD画面の制御はLCDドライバを介して成される。
【００２９】
入出力I/F26では、デジタルカメラやPCなどとの接続時のインタフェースを提供し、入出力制御部27は、各種制御を司る。画像データやプリントジョブなどを保存するメモリカードなどの記憶媒体30の読み出し制御は、メモリカードコントローラ部31を通じて行われ、主制御部24へとデータが送られる。
【００３０】
プリントエンジン部32は、用紙上に画像データのプリント出力を行う。インクジェットプリントヘッドやサーマルヘッドなどのプリント出力ヘッド及び用紙搬送用のステッピングモータなどの駆動機構、給排紙を行う給排紙機構などから構成される。本構成は、プリント方式及び製品形態に依存する。
【００３１】
図示されていないが、プリンタ装置には、動作に必要な電力を供給するための電源回路及び、各種ICなどを実装した回路基板を装置内に格納する。
【００３２】
以下、本実施形態におけるプリントシステムの動作について、詳しい説明を行う。図３は、実施形態の一例におけるプリントシステムのシーケンス図である。以下、本図に従い詳述する。
【００３３】
Ｓ１：デジタルカメラやデジタルビデオカメラの操作部材を操作することにより、メモリカードなどに保存されている撮影済みの画像データからプリント出力対象となる画像データを選択する。
【００３４】
Ｓ２：画像データの選択時にGUI画面例（図４）に従い操作部材を操作して各種設定を行う。ここで、設定内容の例を示すと、日付表示の有無、プリント出力枚数、GUI画面例（図５）のペーパー設定で、ペーパーサイズ（L判、ポストカード、カード、ワイドサイズなど）、レイアウト（フチの有無、インデックスプリント）、GUI画面例（図６）のペーパータイプ設定で、標準カラープリント、モノクロプリント、蛍光色プリントなどの設定を行う。また、画像データのトリミングなども可能である。
【００３５】
Ｓ３：プリント出力対象となる画像データの選択と設定が全て完了した場合は、Ｓ４に遷移する。複数枚画像データを選択する場合はＳ１に戻り、次の画像データの設定を行う。
【００３６】
Ｓ４：Ｓ１及びＳ２の設定を元にプリントジョブを作成し、メモリカードなどの記憶媒体に保存する。また、上記設定はプリンタ装置側でもGUI及び操作部材を利用して同様に行うことが可能である。
【００３７】
Ｓ５：プリントジョブファイルの情報に従い、画像データのプリント出力を行うプリンタ装置へ転送する。転送手段は、USBケーブルなどを用いた有線による転送もしくは、IrDAなどを用いた無線による転送でも構わない。また、前記ファイルをメモリカードなどの記憶媒体に保存し、プリンタ装置内のメモリカードリーダなどの読み取り用デバイスに挿入しても良い。なお、プリンタ装置側でＳ１及びＳ２の画像データの選択、設定をしていた場合は、画像データの転送を行う必要はなく、選択及び設定後に、画像データのプリント出力を行う。
【００３８】
プリントジョブのファイル作成後であれば、LCD画面上のGUIを利用して、使用者がプリント出力を行いたい時に、ファイルの情報に従ったプリント出力が可能である。
【００３９】
Ｓ６：プリントジョブに従いプリント出力を開始する前に、前記プリントジョブ内に複数のカートリッジを使用する設定が存在するかを、主制御部24で判定する。プリントジョブ内の全ての画像データが同一のカートリッジでプリント出力が可能な場合はＳ１４に遷移する。異なる種類のカートリッジへの交換が必要な場合は、Ｓ８へ遷移する。
【００４０】
Ｓ１４：プリント出力を行う。Ｓ１５でプリントジョブ内の画像データが全てプリント出力されたかを判定する。されていない場合は次の画像データを順次プリント出力する。
【００４１】
Ｓ７：プリントジョブ内で同一のカートリッジを使用してプリント出力を行う画像データを纏めて並び替える。次にプリント出力を行うプリントタイプ及び用紙サイズの分類に従い、GUI画面例（図７）のようにプリント出力順の選択肢の表示を行う。
【００４２】
ここで選択肢について説明を行う。『プリント枚数の多い順』とはプリント出力枚数の多いカートリッジの順にプリント出力を行う。『プリント枚数の少ない順』とはプリント出力枚数の少ないカートリッジの順にプリント出力を行う。『プリント時間の長い順』とはプリント出力に要する時間が長いカートリッジの順にプリント出力を行う。『プリント時間の短い順』とはプリント出力に要する時間が短いカートリッジの順にプリント出力を行う。
【００４３】
プリントジョブ内の各カートリッジの設定が図8のような場合において、『プリント枚数の多い順』ではカートリッジ番号6→2→4→5→1→3、『プリント枚数の少ない順』では3→1→5→4→2→6、『プリント時間の長い順（１枚当たり）』では1→2→3→4→6→5、『プリント時間の短い順（１枚当たり）』では5→6→4→3→2→1の順にプリント出力が行われる。図8では用紙とインクが一体型のカートリッジの場合を想定している。
【００４４】
また、『プリント時間の長い順(全枚数)』においては、前記した1枚当たりのプリント出力するために要する時間の長い順の他に、同一カートリッジを設定されている画像データを全枚数プリント出力するために要する時間の長い順でも構わない。その場合は、2→6→4→1→5→3の順となる。『プリント時間の短い順(全枚数)』も同様で順番は3→5→1→4→6→2の順となる。
【００４５】
他の選択肢の項目としてプリント出力開始時に既にプリンタ装置に装着されているカートリッジが、プリントジョブで選択されていた場合は、前記カートリッジから優先してプリント出力する場合も含まれる。
【００４６】
さらにプリントタイプの初期値設定で選択される標準的なプリントタイプのカートリッジから先の順番にプリント出力を行う選択肢と、プリントタイプの初期値設定とは異なる特殊なプリントタイプのカートリッジから先の順番にプリント出力を行う選択肢も含まれる。
【００４７】
『順番を指定する』では、使用者が先にプリント出力を行って欲しいプリントタイプ及び用紙サイズのカートリッジの順に、GUI画面例（図９）で選択して指定を行う。
【００４８】
Ｓ８：上述した選択肢の中から使用者が、プリント出力する順番を指定する。
【００４９】
Ｓ９：プリント出力をする。
【００５０】
Ｓ１０：同一のカートリッジでのプリント出力が全て完了したかを判定する。未完了の場合はＳ９に戻り、次の画像データをプリント出力する。完了した場合はＳ１１に遷移する。
【００５１】
Ｓ１１：プリントジョブ内の画像データが全てプリント出力されたかを判定する。完了した場合は、終了する。未完了の場合はＳ１２に遷移する。
【００５２】
Ｓ１２：次のカートリッジへの交換をGUI画面に表示し、使用者へ通知を行う。通知の際には音やLEDランプによる点灯で行っても良い。また、プリント出力中にカートリッジの交換タイミングまでの残り時間をGUI画面に表示して、使用者に通知する手段を有しても良い。
【００５３】
Ｓ１３：使用者がカートリッジの交換を行う。交換完了後にＳ９に戻り、交換後のカートリッジに設定されている画像データのプリント出力を行う。以下、プリントジョブ内で設定された画像データが全てプリント出力されるまで同様のシーケンスが繰り返される。
【００５４】
以上説明したように本実施形態によれば、プリント出力を行う用紙サイズ及びプリントタイプの順番を任意の順番、枚数の多い順、枚数の少ない順、プリント出力に要する時間の短い順などの選択肢から、使用者が指定することにより、優先順位の高い画像からプリント出力が可能となる。
【００５５】
特に、枚数や時間を考慮した順番でプリントジョブを設定することで、カートリッジ交換の為に、使用者がプリントに対合わなければならないタイミングをオンとロールできる。
【００５６】
つまり、使用者のその後の行動計画にあわせて、プリンタから離れることが可能になる。
【００５７】
具体的には、プリント開始後、しばらくはすぐ近くにいるが、後で席を外したいような場合であれば、カートリッジを交換するタイミングをなるべく早くにしてしまいたいであろう。そのような場合には、プリント時間や枚数の少ないものから先にプリントできるほうが良い。
【００５８】
逆に、プリント開始後しばらく席を外さなければならない場合などは、その間にたくさんのプリントを行いたいであろう。そのような場合には、なるべく始めの方にプリント時間のかかるものや枚数の多いもののカートリッジを使うように、プリントジョブを設定できる方が良い。
【００５９】
本発明は、このような場合に、特に有用である。
【００６０】
同一のカートリッジを使用する画像データを連続してプリント出力する事で、カートリッジを交換する回数を減らすことができる。カートリッジの交換タイミングを使用者にUI画面や音などにより告知することで、異なるプリントタイプ、用紙サイズを一度に複数プリント出力する際に要する使用者の負荷を軽減する事が可能である。
【００６１】
なお、本発明は、（ホストコンピュータ、インタフェース機器、プリンタ装置といった）複数の機器から構成されるシステムに適用しても、（複合機といった）一つの機器からなる装置に適用してもよい。
【００６２】
また、本発明の目的は、前述した実施例の機能を実現するソフトウェアのプログラムコードを記録した記憶媒体（または記録媒体）を、システムあるいは装置に供給し、そのシステムあるいは装置のコンピュータ（またはCPUやMPU）が記憶媒体に格納されたプログラムコードを読み出し実行することによっても、達成される。この場合、記憶媒体から読み出されたプログラムコード自体が前述した実施例の機能を実現することになり、そのプログラムコードを記憶した記憶媒体は本発明を構成することになる。また、コンピュータが読み出したプログラムコードを実行することにより、前述した実施例の機能が実現されるだけでなく、そのプログラムコードの指示に基づき、コンピュータ上で稼働しているオペレーティングシステム(OS)などが実際の処理の一部または全部を行い、その処理によって前述した実施例の機能が実現される場合も含まれる。
【００６３】
加えて、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるCPUなどが実際の処理の一部または全部を行い、その処理によって前述した実施例の機能が実現される場合も含まれる。
【００６４】
本発明を上記記憶媒体に適用する場合、その記憶媒体には、先に説明したフローチャートに対応するプログラムコードが格納されることになる。
【図面の簡単な説明】
【００６５】
【図１】本発明に係る一実施形態におけるプリントシステムの構成を示す図である。
【図２】本実施形態におけるプリンタの構成を示すブロック図である。
【図３】本実施形態におけるプリントシステムの処理シーケンスを示す図である。
【図４】プリント設定のユーザインタフェース画面例を説明するための図である。
【図５】ペーパーサイズ設定のユーザインタフェース画面例を説明するための図である。
【図６】ペーパータイプ設定のユーザインタフェース画面例を説明するための図である。
【図７】プリント出力順設定のユーザインタフェース画面例を説明するための図である。
【図８】プリントジョブ内の各カートリッジの設定例を示す図である。
【図９】プリント順番指定のユーザインタフェース画面例を説明するための図である。
【符号の説明】
【００６６】
1  デジタルカメラ
2  プリンタ装置
3  デジタルカメラのLCD画面
4  デジタルカメラの操作部材
5  プリンタ装置のLCD画面
6  プリンタ装置の操作部材
20  CPU
21  RAM
22  画像データ処理部
23  Flash ROM
24  主制御部
25  操作部
26  入出力インタフェース
27  入出力制御部
28  LCDドライバ部
29  LCD画面
30  メモリカード
31  メモリカードコントローラ部
32  プリントエンジン部
【図１】
2007293516.tif 000003
【図２】
2007293516.tif 000004
【図３】
2007293516.tif 000005
【図４】
2007293516.tif 000006
【図５】
2007293516.tif 000007
【図６】
2007293516.tif 000008
【図７】
2007293516.tif 000009
【図８】
2007293516.tif 000010
【図９】
2007293516.tif 000011